(57)【特許請求の範囲】
【請求項１】
二輪車の後方を撮影する撮影手段と、
前記撮影手段により撮影された撮影映像を表示映像として表示する表示手段と、
前記二輪車の傾斜角を検出する傾斜角検出手段とを備え、
前記傾斜角検出手段により検出された傾斜角に基づいて前記表示手段に前記表示映像として表示する範囲を変化させる二輪車の後方映像表示装置であって、
前記撮影手段により撮影された撮影映像の一部の領域である表示領域を、前記傾斜角検出手段により検出された傾斜角に基づいて決定し、当該決定された表示領域の映像を前記表示映像として前記表示手段に出力する映像処理手段を備え、
前記映像処理手段は、前記傾斜角検出手段により検出された傾斜角に基づき、前記二輪車の左方向への傾斜に応じて前記表示領域を左方向に移動させ、前記二輪車の右方向への傾斜に応じて前記表示領域を右方向に移動させることを特徴とする二輪車の後方映像表示装置。
【請求項２】
前記傾斜角検出手段により検出される傾斜角と前記表示領域の左方向または右方向の移動量との関係を定めた移動量データを記憶した移動量データ記憶手段を備え、
前記映像処理手段は、前記移動量データ記憶手段に記憶された移動量データを用いて前記表示領域の移動量を決定することを特徴とする請求項１に記載の二輪車の後方映像表示装置。
【請求項３】
前記映像処理手段は、前記傾斜角検出手段により検出された傾斜角に基づき、前記二輪車の左方向への傾斜に応じて前記撮影映像または前記表示領域の映像を左方向に回転させ、前記二輪車の右方向への傾斜に応じて前記撮影映像または前記表示領域の映像を右方向に回転させることを特徴とする請求項２に記載の二輪車の後方映像表示装置。
【請求項４】
前記傾斜角検出手段により検出される傾斜角と前記撮影映像または前記表示領域の映像の左方向または右方向の回転角との関係を定めた回転角データを記憶した回転角データ記憶手段を備え、
前記映像処理手段は、前記回転角データ記憶手段に記憶された回転角データに基づき、前記撮影映像または前記表示領域の映像の回転角を決定することを特徴とする請求項３に記載の二輪車の後方映像表示装置。
【発明の詳細な説明】
【技術分野】
【０００１】
本発明は、二輪車の後方を撮影し、当該二輪車後方の映像を表示することにより、運転者等に当該二輪車後方の視覚的情報を提供する後方映像表示装置に関する。
【背景技術】
【０００２】
例えば下記の特許文献１には、二輪車の後方を撮影し、当該二輪車後方の映像を表示することにより、運転者等に当該二輪車後方の視覚的情報を提供する装置の一例が記載されている。
【０００３】
特許文献１に記載された装置（後方視認装置）は、二輪車の後部に取り付けられ、二輪車の後方を撮影する撮影装置（ＣＣＤカメラ）と、二輪車のハンドルの近傍に取り付けられた表示装置（液晶ディスプレイ装置）と、映像の抽出・切替処理を行う制御装置（ＥＣＵ：電子制御ユニット）とを備えている。制御装置は、撮影装置により撮影された二輪車後方の映像のうち、真後ろ方向の映像、後方左側の映像、および後方右側の映像をそれぞれ抽出し、これら抽出した映像を、ウィンカスイッチ（ウィンカ操作子）の操作に応じて切り替えて表示装置に表示する。すなわち、制御装置は、運転者がウィンカスイッチを前方に押し込んだとき、真後ろ方向の映像を表示装置に表示し、運転者がウィンカスイッチを操作して左側のウィンカを作動させたとき、後方左側の映像を表示装置に表示し、運転者がウィンカスイッチを操作して右側のウィンカを作動させたとき、後方右側の映像を表示装置に表示する。
【０００４】
この装置によれば、運転者は表示装置に表示された映像を見ることにより、バックミラーでは捉えられない死角領域の状況を確認することができる。
【先行技術文献】
【特許文献】
【０００５】
【特許文献１】特開２００８−１００５９６号公報
【発明の概要】
【発明が解決しようとする課題】
【０００６】
二輪車のハンドル近傍に取り付けられた表示装置に二輪車後方の映像を表示する装置によれば、運転者は二輪車の後方を容易に確認することができるようになり、運転の利便性および安全性を高めることができる。特に、運転者は、後続車を表示装置により確認することができ、これにより、後続車との距離を把握することができ、追突の危険性を早期に察知し、車間距離を調整する等の危険回避行動を迅速に行うことが可能になる。
【０００７】
ところが、上記特許文献１に記載された装置には、後続車を表示装置により確認する点につき、次のような問題がある。
【０００８】
すなわち、上記特許文献１に記載の装置は、二輪車が直進しているときには後続車の映像が表示装置に表示されるものの、二輪車がカーブや交差点を曲がっているとき、後続車、とりわけ自車と同一車線を走行している後続車の映像が表示装置に表示されなくなる場合がある。
【０００９】
具体的に説明すると、二輪車がまっすぐな道路を直進走行している間、後続車は二輪車の真後ろに位置している。一方、例えば二輪車がカーブを左に曲がりながら走行している間、二輪車の後部を基準に相対的にみると、後続車の位置は二輪車の真後ろから左方向にずれる。他方、二輪車がカーブを右に曲がりながら走行している間は、後続車の位置は二輪車の真後ろから右方向にずれる。したがって、二輪車がカーブや交差点を左または右に曲がっているとき、二輪車の真後ろ方向を撮影した映像中に後続車が映らなくなる場合がある。
【００１０】
上記特許文献１に記載の装置では、左側または右側のウィンカを作動させるようにウィンカスイッチを操作しない限り、二輪車の真後ろ方向の映像が表示装置に表示される。このため、二輪車がカーブを左または右に曲がりながら走行している間は、左側または右側のウィンカを作動させるようにウィンカスイッチを操作しない限り後続車が表示装置に表示されなくなる場合がある。そして、二輪車がカーブを曲がるとき、曲がりながら車線変更をする等の特別な事情がない限り、運転者は、左側または右側のウィンカを作動させるようにウィンカスイッチを操作しないのが通常である。
【００１１】
この結果、上記特許文献１に記載の装置によれば、二輪車の運転者はカーブを曲がっている間、後続車を表示装置により確認することができない場合があり、運転の利便性または安全性が直進時と比較して低下してしまうという問題がある。
【００１２】
他方、二輪車がカーブを曲がるとき、運転者は二輪車を曲がる方向に傾斜させる。このとき、二輪車に取り付けられた撮影装置も二輪車と共に傾斜する。このため、二輪車がカーブを曲がっている間、表示装置に表示される映像が傾いた映像になってしまい、二輪車後方の状況を表示装置により確認しにくくなるという問題がある。
【００１３】
本発明は例えば上述したような問題に鑑みなされたものであり、本発明の課題は、二輪車がカーブを曲がりながら走行している間においても、二輪車後方の状況を運転者等に容易にまたは正しく確認させることができる二輪車の後方映像表示装置を提供することにある。
【課題を解決するための手段】
【００１４】
上記課題を解決するために、本発明の後方映像表示装置は、二輪車の後方を撮影する撮影手段と、前記撮影手段により撮影された撮影映像を表示映像として表示する表示手段と、前記二輪車の傾斜角を検出する傾斜角検出手段とを備え、前記傾斜角検出手段により検出された傾斜角に基づいて前記表示手段に前記表示映像として表示する範囲を変化させることを特徴とする。
【００１５】
本発明の後方映像表示装置によれば、二輪車の傾斜角に応じて表示映像として表示する範囲を変化させることで、二輪車が曲がりながら走行している間でも、直進時と同様に、後続車が映し出された映像を表示手段に表示することができる。したがって、運転の利便性または安全性を高めることができる。
【００１６】
また、本発明の後方映像表示装置は、前記撮影手段により撮影された撮影映像の一部の領域である表示領域を、前記傾斜角検出手段により検出された傾斜角に基づいて決定し、当該決定された表示領域の映像を前記表示映像として前記表示手段に出力する映像処理手段を備えていることを特徴とする。
【００１７】
上記映像処理手段によれば、二輪車の傾斜角に応じて撮影映像内における表示領域を変化させるので、傾斜角に応じて表示映像として表示手段に表示する範囲を映像処理（情報処理）により変化させることができる。これにより、例えば二輪車の傾斜角に応じてカメラを動かして撮影範囲を変化させるといった複雑なハードウェアを用いる必要がなくなるので、後方映像表示装置を簡単な構造により実現することができる。
【００１８】
また、本発明の後方映像表示装置において、前記映像処理手段は、前記傾斜角検出手段により検出された傾斜角に基づき、前記二輪車の左方向への傾斜に応じて前記表示領域を左方向に移動させ、前記二輪車の右方向への傾斜に応じて前記表示領域を右方向に移動させることを特徴とする。
【００１９】
本発明のこの態様によれば、二輪車が左方向に曲がっている間には、二輪車後方左側の映像を自動的に表示することができ、二輪車が右方向に曲がっている間には、二輪車後方右側の映像を自動的に表示することができる。このように、二輪車が曲がりながら走行している間に、後続車が映し出された映像等、適切な映像を表示することができる。
【００２０】
また、上述した本発明の後方映像表示装置において、前記傾斜角検出手段により検出される傾斜角と前記表示領域の左方向または右方向の移動量との関係を定めた移動量データを記憶した移動量データ記憶手段を備え、前記映像処理手段は、前記移動量データ記憶手段に記憶された移動量データを用いて前記表示領域の移動量を決定することが望ましい。
【００２１】
本発明のこの態様によれば、移動量データを用いることで、二輪車の傾斜角に応じた表示領域の移動を容易にかつ正確に実現することができる。
【００２２】
また、上述した本発明の後方映像表示装置において、前記映像処理手段は、前記傾斜角検出手段により検出された傾斜角に基づき、前記二輪車の左方向への傾斜に応じて前記撮影映像または前記表示領域の映像を左方向に回転させ、前記二輪車の右方向への傾斜に応じて前記撮影映像または前記表示領域の映像を右方向に回転させることが望ましい。
【００２３】
本発明のこの態様によれば、二輪車が左方向に曲がっている間には、左方向に適度に回転した映像を自動的に表示することができ、二輪車が右方向に曲がっている間には、右方向に適度に回転した映像を自動的に表示することができる。これにより、二輪車が曲がりながら走行している間に、二輪車の傾斜のために映像が傾いた映像となることを防止することができる。
【００２４】
また、上述した本発明の後方映像表示装置において、前記傾斜角検出手段により検出される傾斜角と前記撮影映像または前記表示領域の映像の左方向または右方向の回転角との関係を定めた回転角データを記憶した回転角データ記憶手段を備え、前記映像処理手段は、前記回転角データ記憶手段に記憶された回転角データに基づき、前記撮影映像または前記表示領域の映像の回転角を決定することが望ましい。
【００２５】
本発明のこの態様によれば、回転角データを用いることで、二輪車の傾斜角に応じた表示領域の回転を容易にかつ正確に実現することができる。
【発明の効果】
【００２６】
本発明によれば、二輪車がカーブを曲がりながら走行している間においても、二輪車後方の状況を運転者等に容易にまたは正しく確認させることができ、運転の利便性または安全性を高めることができる。
【図面の簡単な説明】
【００２７】
【図１】本発明の実施形態による後方映像表示装置を示すブロック図である。
【図２】本発明の実施形態による後方映像表示装置において、撮影映像内における表示領域の左右方向における移動を示す説明図である。
【図３】本発明の実施形態による後方映像表示装置において、二輪車の傾斜角と表示領域の移動量との関係を示す特性線図である。
【図４】本発明の実施形態による後方映像表示装置において、撮影映像の回転を示す説明図である。
【図５】本発明の実施形態による後方映像表示装置において、二輪車の傾斜角と撮影映像の回転角との関係を示す特性線図である。
【図６】二輪車が直進走行している様子を示す説明図である。
【図７】本発明の実施形態による後方映像表示装置において、二輪車が直進走行しているときの撮影映像を示す説明図である。
【図８】本発明の実施形態による後方映像表示装置において、二輪車が直進走行している間に、撮影映像内において表示領域を中間、左側、右側にそれぞれ位置させた状態を示す説明図である。
【図９】二輪車がカーブを曲がりながら走行している様子を示す説明図である。
【図１０】本発明の実施形態による後方映像表示装置において、二輪車がカーブを曲がりながら走行しているときの撮影映像を示す説明図である。
【図１１】本発明の実施形態による後方映像表示装置において、二輪車がカーブを曲がりながら走行している間に、撮影映像内において表示領域を中間、左側にそれぞれ位置させた状態、および撮影映像を回転させた状態を示す説明図である。
【図１２】本発明の実施形態による後方映像表示装置における映像処理を示すフローチャートである。
【発明を実施するための形態】
【００２８】
以下、本発明の実施の形態について図面を参照しながら説明する。図１は本発明の実施形態による後方映像表示装置を示している。図１において、本発明の実施形態による後方映像表示装置１は、二輪車２の後方の映像を二輪車２の運転者に提供する装置である。後方映像表示装置１は、撮影手段としてのカメラ１１、映像処理手段としての映像処理装置１２、表示手段としての表示装置１３、および傾斜角検出手段としての傾斜角センサ１４を備えている。
【００２９】
カメラ１１は、例えばＣＣＤイメージセンサまたはＣＭＯＳイメージセンサ等を備えたデジタルビデオカメラであり、二輪車２の後部に取り付けられている。カメラ１１は広角レンズを備え、二輪車２の後方の広い範囲を撮影することができる。カメラ１１は撮影した映像を「撮影映像」として映像処理装置１２に出力する。
【００３０】
映像処理装置１２は、ＣＰＵ（中央演算処理装置）１５、および移動量データ記憶手段および回転角データ記憶手段としてのメモリ１６を備えている。映像処理装置１２は、例えば二輪車２に設けられたＥＣＵ（電子制御ユニット）の一部として実現されている。ＣＰＵ１５は、メモリ１６に記憶された制御プログラムを読み取り、これを実行することにより、カメラ１１により撮影された撮影映像を用いて後述する「表示映像」を生成し、この表示映像を表示装置１３に出力する。また、メモリ１６は例えば不揮発性の半導体記憶素子であり、メモリ１６には上記制御プログラムのほか、後述する移動量データおよび回転角データ等が記憶されている。また、映像処理装置１２には、カメラ１１、表示装置１３、傾斜角センサ１４、およびウィンカスイッチ４が電気的に接続されている。なお、ウィンカスイッチ４は、運転者がウィンカを作動させる際に操作するスイッチであり、ハンドル３に取り付けられている。
【００３１】
表示装置１３は、例えば液晶ディスプレイまたは有機ＥＬディスプレイ等であり、二輪車２のハンドル３の近傍であって、二輪車２の運転者が見やすい位置に設けられている。表示装置１３は、映像処理装置１２により生成された表示映像を表示する。
【００３２】
傾斜角センサ１４は、二輪車２の左右方向の傾斜角（バンク角）を検出するセンサであり、二輪車２に取り付けられている。
【００３３】
図２は撮影映像内における表示領域の左右方向の移動を示し、図３は二輪車２の傾斜角と表示領域の左右方向における移動量との関係を示している。図２において、撮影映像Ｐ１は、カメラ１１により撮影され、カメラ１１から映像処理装置１２に出力された映像であり、映像処理装置１２による映像処理前の映像である。また、撮影映像Ｐ１は、二輪車２の後方の映像である。撮影映像Ｐ１の左右方向の範囲は広く、撮影映像Ｐ１には、二輪車２の真後ろ、後方左側および後方右側を同時に含めることができる。例えば、二輪車２が３車線を有するまっすぐな道路の中間の車線を直進走行している場合、撮影映像Ｐ１には、二輪車２が走行している車線と同一の車線を走行している後続車の全体、二輪車２が走行している車線の左隣の車線を走行している後続車の全体、および二輪車２が走行している車線の右隣の車線を走行している後続車の全体を同時に含めることができる（図６および図７参照）。なお、撮影映像Ｐ１の範囲をさらに広くしてもよい。
【００３４】
また、図２中の表示領域Ｄは、撮影映像の一部の領域であり、表示領域Ｄの映像が表示映像として表示装置１３に表示される。表示領域Ｄの左右方向の範囲は、撮影映像Ｐ１の左右方向の範囲よりも狭い。例えば、表示領域Ｄの左右方向の大きさは、撮影映像Ｐ１の左右方向の大きさのおよそ３分の１である。例えば、二輪車２が３車線を有するまっすぐな道路の中間の車線を直進走行している場合、表示領域Ｄには、二輪車２が走行している車線と同一の車線を走行している後続車、二輪車２が走行している車線の左隣の車線を走行している後続車、および二輪車２が走行している車線の右隣の車線を走行している後続車のうちのいずれか１台の後続車の全体を含めることができるが、互いに異なる２以上の車線をそれぞれ走行する２台以上の後続車の全体を同時に含めることはできない（図８参照）。なお、表示領域Ｄの範囲をより広くし、例えば互いに隣接する２車線をそれぞれ走行する２台の後続車の全体を同時に含めることができるようにしてもよい。
【００３５】
映像処理装置１２は、図２に示すように、傾斜角センサ１４により検出された二輪車２の傾斜角に基づき、撮影映像Ｐ１の範囲内において表示領域Ｄを左方向または右方向に移動させる。すなわち、映像処理装置１２は、二輪車２がほぼ垂直位置にあり右方向にも左方向にもほとんど傾斜していないとき、表示領域Ｄを撮影映像Ｐ１内の中間に位置させ、二輪車２が左方向に傾斜したとき、表示領域Ｄを撮影映像Ｐ１内において左方向に移動させ、二輪車２が右方向に傾斜したとき、表示領域Ｄを撮影映像Ｐ１内において右方向に移動させる。なお、図２では、撮影映像Ｐ１内において左方向に移動した表示領域Ｄを二点鎖線で示し、撮影映像Ｐ１内の中間に位置した表示領域Ｄを一点鎖線で示し、撮影映像Ｐ１内において右方向に移動した表示領域Ｄを破線で示している。
【００３６】
表示領域Ｄの移動について具体的に説明すると、図３に示すように、映像処理装置１２は、二輪車２の傾斜角が０のとき、傾斜角が０から左方向に増加して所定の設定値Ｔａに達するまでの間、または傾斜角が０から右方向に増加して所定の設定値Ｔｂに達するまでの間は、二輪車２の傾斜角が小さく、二輪車２がほぼ垂直位置にあり、またはほぼ直進走行状態にあるといえるので、表示領域Ｄを撮影映像Ｐ１内の中間に位置させる。また、二輪車２の傾斜角が左方向に増加して設定値Ｔａ以上となったときには、二輪車２が左方向に確実に傾斜しており、カーブや交差点を左に曲がっている状態であるといえるので、映像処理装置１２は表示領域Ｄを撮影映像Ｐ１内において左方向に移動させる。このとき、映像処理装置１２は、二輪車２の左方向における傾斜角が増加するに従って表示領域Ｄの左方向における移動量を増加させる。一方、二輪車２の傾斜角が右方向に増加して設定値Ｔｂ以上となったとき、二輪車２が右方向に確実に傾斜しており、カーブや交差点を右に曲がっている状態であるといえるので、映像処理装置１２は表示領域Ｄを撮影映像Ｐ１内において右方向に移動させる。このとき、映像処理装置１２は、二輪車２の右方向における傾斜角が増加するに従って表示領域Ｄの右方向における移動量を増加させる。
【００３７】
表示領域Ｄの移動についてさらに具体的に説明すると、映像処理装置１２は、二輪車２の傾斜角に基づき、表示領域Ｄの左右方向補正角を算定し、この左右方向補正角に従って撮影映像Ｐ１内における表示領域Ｄの位置を決定する。すなわち、図２において、撮影映像Ｐ１を一定の領域を有する平面であるとし、撮影映像Ｐ１の中央点をＡとし、撮影映像Ｐ１と直交しかつ撮影映像Ｐ１の中央点Ａを通る直線上に位置し、撮影映像Ｐ１から所定距離離れた点をＢとし、表示領域Ｄの中央点をＣとすると、左右方向補正角は角ＡＢＣである。
【００３８】
また、メモリ１６には、二輪車２の傾斜角と表示領域Ｄの左右方向補正角（左右方向における移動量）との関係を示すデータテーブルである移動量データが予め記憶されている。映像処理装置１２は、傾斜角センサ１４からの検出信号と、メモリ１６に記憶された移動量データとを用いて表示領域Ｄの左右方向補正角、すなわち表示領域Ｄの移動方向および移動量を決定する。
【００３９】
図４は撮影映像Ｐ１の回転を示し、図５は二輪車２の傾斜角と撮影映像Ｐ１の回転角との関係を示している。図４に示すように、映像処理装置１２は、傾斜角センサ１４により検出された二輪車２の傾斜角に基づき、撮影映像Ｐ１を左方向または右方向に回転させる。すなわち、映像処理装置１２は、二輪車２がほぼ垂直位置にあり右方向にも左方向にもほとんど傾斜していないとき、撮影映像Ｐ１を回転させず、二輪車２が左方向に傾斜したとき、撮影映像Ｐ１を左方向に回転させ、二輪車が右方向に傾斜したとき、撮影映像Ｐ１を右方向に回転させる。なお、図４では、撮影映像Ｐ１を撮影映像Ｐ１の中央点Ａを回転中心としているが、撮影映像Ｐ１の回転中心は、例えば表示領域Ｄの移動等を考慮して適宜設定・変更するようにしてもよい。
【００４０】
撮影映像Ｐ１の回転について具体的に説明すると、図５に示すように、映像処理装置１２は、二輪車２の傾斜角が０のとき、傾斜角が０から左方向に増加して所定の設定値Ｔａに達するまでの間、または傾斜角が０から右方向に増加して所定の設定値Ｔｂに達するまでの間は、撮影映像Ｐ１を回転させない。また、二輪車２の傾斜角が左方向に増加して設定値Ｔａ以上となったとき、映像処理装置１２は撮影映像Ｐ１を左方向に回転させる。このとき、映像処理装置１２は、二輪車２の左方向における傾斜角が増加するに従って撮影映像Ｐ１の左方向における回転角（回転量）を増加させる。一方、二輪車２の傾斜角が右方向に増加して設定値Ｔｂ以上となったとき、映像処理装置１２は撮影映像Ｐ１を右方向に回転させる。このとき、映像処理装置１２は、二輪車２の右方向における傾斜角が増加するに従って撮影映像Ｐ１の右方向における回転角（回転量）を増加させる。
【００４１】
メモリ１６には、二輪車２の傾斜角と撮影映像Ｐ１の回転角（回転量）との関係を示すデータテーブルである回転角データが予め記憶されている。映像処理装置１２は、傾斜角センサ１４からの検出信号とメモリ１６に記憶された回転角データとを用いて撮影映像Ｐ１の回転方向および回転角（回転量）を決定する。
【００４２】
図６は二輪車２が直進走行している様子を示し、図７は二輪車２が直進走行している間における撮影映像Ｐ１を示し、図８は二輪車２が直進走行している間に、撮影映像Ｐ１内において表示領域Ｄを中間、左側、右側にそれぞれ位置させた状態を示している。図６に示すように、中央分離帯１９を境に、進行方向が一の方向である３つの車線２１、２２、２３と、進行方向が他の方向である３つの車線を有するまっすぐな道路１８（中央分離帯１９と車線２１、２２、２３のみ図示）があり、二輪車２が中間の車線２２を直進走行し、二輪車２の後方において、車線２１、２２、２３に後続車３１、３２、３３がそれぞれ走行しているとする。すなわち、二輪車２の真後ろには後続車３２が位置し、二輪車２の後方左側には後続車３１が位置し、二輪車２の後方右側には後続車３３が位置している。この場合、カメラ１１により撮影された撮影映像Ｐ１には、図７に示すように後続車３１の全体、後続車３２の全体、後続車３３の全体が映し出される。
【００４３】
二輪車２が直進走行している間は、二輪車２はほとんど傾斜せず、ほぼ垂直位置を維持するので、傾斜角が左方向に０以上設定値Ｔａ未満の範囲内または右方向に０以上設定値Ｔｂ未満の範囲内のいずれかの値である旨を示す検出信号が傾斜角センサ１４から映像処理装置１２に出力される。映像処理装置１２は、この検出信号に基づき、図８（１）に示すように、表示領域Ｄを撮影映像Ｐ１内の中間に位置させ、この表示領域Ｄの映像を表示映像として表示装置１３に出力する。この結果、表示装置１３には、二輪車２の真後ろに位置する後続車、すなわち、車線２２を走行している後続車３２の全体が表示される。
【００４４】
ここで、映像処理装置１２は、ウィンカスイッチ４の操作に応じて表示領域Ｄを移動させる機能を備えている。すなわち、二輪車２の運転者が、左側のウィンカを作動させるべくウィンカスイッチ４を操作したとき、映像処理装置１２は、図８（２）に示すように、表示領域Ｄを撮影映像Ｐ１内において左方向に移動させる。この結果、表示装置１３には、二輪車２の後方左側に位置する後続車、すなわち車線２１を走行している後続車３１の全体が映し出される。また、二輪車２の運転者が、右側のウィンカを作動させるべくウィンカスイッチ４を操作したとき、映像処理装置１２は、図８（３）に示すように、表示領域Ｄを撮影映像Ｐ１内において右方向に移動させる。この結果、表示装置１３には、二輪車２の後方右側を走行している後続車、すなわち車線２３を走行している後続車３３の全体が映し出される。
【００４５】
図９は二輪車２がカーブを曲がりながら走行している様子を示し、図１０は二輪車２がカーブを曲がりながら走行している間における撮影映像Ｐ１を示し、図１１は二輪車２がカーブを曲がりながら走行している間に、撮影映像Ｐ１内において表示領域Ｄを中間、左側にそれぞれ位置させた状態、および撮影映像Ｐ１を回転させた状態を示している。図９に示すように、道路１８が左方向にカーブし、二輪車２がこのカーブを左に曲がりながら走行し、後続車３１、３２、３３がこのカーブ手前を走行しているとする。二輪車２が左に曲がることにより、相対的にみて、二輪車２の後方を走行している後続車３１、３２、３３が、二輪車２の後部、すなわちカメラ１１に対して左方向に移動する。また、二輪車２は左に曲がるとき左方向に傾き、カメラ１１もこれに伴って左方向に傾く。この結果、撮影の対象は、図１０を図７と比較しながら見るとわかる通り、撮影映像Ｐ１内において左方向に移動すると共に右方向に回転する。
【００４６】
この場合、もし映像処理装置１２が、二輪車２が直進走行しており傾斜角が左方向に０以上設定値Ｔａ未満の範囲内または右方向に０以上設定値Ｔｂ未満の範囲内のいずれかの値である場合と同じ処理をするとすれば、図１１（１）に示すように、表示領域Ｄが撮影映像Ｐ１内の中間に位置し、撮影映像Ｐ１が回転しないので、表示装置１３には、左に曲がりながら走行している二輪車２の真後ろの映像、すなわち、二輪車２が走行している車線２２の右隣の車線２３を走行している後続車３３が表示されてしまい、しかも、その映像が表示装置１３の画面に対して右方向に回転した状態で表示されてしまう。しかし、運転の利便性または安全性を考慮すると、二輪車２と同一車線２２を走行している後続車３２が表示装置１３に表示されることが望ましく、さらに、後続車３２が表示装置１３の画面に対して回転していない（傾いていない）状態で表示されることが望ましい。そこで、映像処理装置１２は、二輪車２が左に曲がりながら走行している間、二輪車２と同一車線２２を走行している後続車３２が表示装置１３に表示され、かつ、後続車３２が表示装置１３の画面に対して回転していない状態で表示されるように、表示領域Ｄを左方向に移動させると共に、撮影映像Ｐ１を左方向に回転させる。つまり、表示領域Ｄを撮影映像Ｐ１内における撮影対象の移動に追従するように移動させると共に、撮影映像Ｐ１を二輪車２（カメラ１１）の傾きに追従させるように回転させる。
【００４７】
すなわち、二輪車２が左に曲がりながら走行している間、二輪車２は左方向に傾斜し、傾斜角が左方向に設定値Ｔａ以上である旨を示す検出信号が傾斜角センサ１４から出力される。映像処理装置１２は、傾斜角センサ１４からのこの検出信号とメモリ１６に記憶された移動量データとに基づいて、表示領域Ｄの撮影映像Ｐ１内における左方向への移動量を決定し、この決定に従って表示領域Ｄを左方向に移動させる。この結果、図１１（２）に示すように、表示領域Ｄ内には、二輪車２と同一車線２２を走行している後続車３２が映し出されるようになる。
【００４８】
さらに、映像処理装置１２は、傾斜角センサ１４からの検出信号とメモリ１６に記憶された回転角データとに基づいて、撮影映像Ｐ１の左方向における回転角を決定し、この決定に従って撮影映像Ｐ１を左方向に回転させる。この結果、図１１（３）に示すように、後続車３２が表示装置１３の画面に対して回転していない状態で表示されるようになる。
【００４９】
一方、二輪車２が右に曲がりながら走行している間、二輪車２は右方向に傾斜し、傾斜角が右方向に設定値Ｔｂ以上である旨を示す検出信号が傾斜角センサ１４から出力される。映像処理装置１２は、傾斜角センサ１４からのこの検出信号とメモリ１６に記憶された移動量データとに基づいて、表示領域Ｄの撮影映像Ｐ１内における右方向への移動量を決定し、この決定に従って表示領域Ｄを右方向に移動させる。この結果、表示領域Ｄ内には、二輪車２と同一車線２２を走行している後続車３２が映し出されるようになる。さらに、映像処理装置１２は、傾斜角センサ１４からの検出信号とメモリ１６に記憶された回転角データとに基づいて、撮影映像Ｐ１の右方向における回転角を決定し、この決定に従って撮影映像Ｐ１を右方向に回転させる。この結果、後続車３２が表示装置１３の画面に対して回転していない状態で表示されるようになる。
【００５０】
図１２は後方映像表示装置１における映像処理の具体的な流れを示している。図１２中の映像処理において、映像処理装置１２は、まず、傾斜角センサ１４から出力される検出信号に基づいて二輪車２の傾斜角を算出する（ステップＳ１）。続いて、映像処理装置１２は、ステップＳ１で算出された傾斜角が設定値Ｔａ以上か否か判断し、設定値Ｔａ以上でない場合には設定値Ｔｂ以上か否か判断する（ステップＳ２）。
【００５１】
傾斜角が設定値Ｔａ以上である場合には（ステップＳ２：ＹＥＳ）、映像処理装置１２は、移動量データを参照し、表示領域Ｄの左方向における左右方向補正角（左方向における移動量）を算出し（ステップＳ３）、続いて撮影映像Ｐ１の左方向における回転角を算出する（ステップＳ４）。そして、映像処理装置１２は、ステップＳ３において算出した左右方向補正角に従って表示領域Ｄを左方向に移動させ、ステップＳ４において算出した回転角に従って撮影映像Ｐ１を左方向に回転させ、撮影映像Ｐ１のうち表示領域Ｄで囲まれた部分の映像を抽出し（切り出し）、これにより、表示映像を生成する（ステップＳ５）。続いて、映像処理装置１２は、この生成した表示映像を表示装置１３に出力する（ステップＳ６）。
【００５２】
また、傾斜角が設定値Ｔｂ以上である場合には（ステップＳ２：ＹＥＳ）、映像処理装置１２は、移動量データを参照し、表示領域の右方向における左右方向補正角（右方向における移動量）を算出し（ステップＳ３）、続いて撮影映像Ｐ１の右方向における回転角を算出する（ステップＳ４）。そして、映像処理装置１２は、ステップＳ３において算出した左右方向補正角に従って表示領域Ｄを右方向に移動させ、ステップＳ４において算出した回転角に従って撮影映像Ｐ１を右方向に回転させ、撮影映像Ｐ１のうち表示領域Ｄで囲まれた部分の映像を抽出し（切り出し）、これにより、表示映像を生成する（ステップＳ５）。続いて、映像処理装置１２は、この生成した表示映像を表示装置１３に出力する（ステップＳ６）。
【００５３】
一方、傾斜角が０以上設定値Ｔａ未満、または０以上設定値Ｔｂ未満である場合には（ステップＳ２：ＮＯ）、映像処理装置１２は、運転者がウィンカを左側または右側に作動させるべくウィンカスイッチ４を操作したか否か判断する（ステップＳ７）。運転者がウィンカスイッチ４を操作していない場合には（ステップＳ７：ＮＯ）、映像処理装置１２は、表示領域Ｄを撮影映像Ｐ１内の中間に位置させ、撮影映像Ｐ１のうち表示領域Ｄで囲まれた部分の映像を抽出することにより表示映像を生成し、この表示映像を表示装置１３に出力する（ステップＳ８）。他方、運転者がウィンカを左側または右側に作動させるべくウィンカスイッチ４を操作した場合には（ステップＳ７：ＹＥＳ）、映像処理装置１２は、ウィンカスイッチ４の操作に従って表示領域Ｄを撮影映像Ｐ１内において左方向または右方向に移動させ、撮影映像Ｐ１のうち表示領域Ｄで囲まれた部分の映像を抽出することにより表示映像を生成し、この表示映像を表示装置１３に出力する（ステップＳ９）。
【００５４】
以上説明した通り、本発明の実施形態による後方映像表示装置１によれば、二輪車２の傾斜角に応じて、二輪車２の後方の撮影映像Ｐ１内における表示領域Ｄを移動させ、かつ撮影映像Ｐ１を回転させることができる。これにより、二輪車２が曲がりながら走行している間でも、直進時と同様に、後続車、とりわけ同一車線を走行している後続車が映し出された映像を表示装置１３に表示することができる。したがって、運転者は、表示された映像を見ることにより、例えば後続車の追突を回避するなどの行動を迅速に行うことができる。よって、運転の利便性または安全性を高めることができる。
【００５５】
なお、上述した実施形態では、二輪車２の傾斜角と表示領域Ｄの左右方向補正角（左右方向における移動量）との関係を示すデータテーブルである移動量データを用いて表示領域Ｄの移動量を決定する場合を例にあげたが、本発明はこれに限らない。二輪車２の傾斜角と表示領域Ｄの左右方向補正角（左右方向における移動量）との関係を示す演算式をメモリ１６に記憶しておき、この演算式を用いて演算を行い、表示領域Ｄの移動量を決定してもよい。また、撮影映像Ｐ１の回転の決定についても、二輪車２の傾斜角と撮影映像Ｐ１の回転角（回転量）との関係を示すデータテーブルである回転角データに代えて、二輪車２の傾斜角と撮影映像Ｐ１の回転角（回転量）との関係を示す演算式を用いてもよい。
【００５６】
また、上述した実施形態では、傾斜角センサ１４が検出した傾斜角に基づいて撮影映像Ｐ１を回転させる場合を例にあげたが、本発明はこれに限らない。傾斜角センサ１４が検出した傾斜角に基づいて表示領域Ｄまたは表示映像を回転させてもよい。
【００５７】
また、上述した実施形態では、二輪車２の傾斜角に応じて撮影映像Ｐ１内における表示領域Ｄを変化させるといった映像処理（情報処理）により、表示映像として表示装置１３に表示する範囲を変化させる場合を例にあげたが、本発明はこれに限らない。カメラ１１を二輪車２の後部に可動に支持し、二輪車２の傾斜角に応じてカメラ１１を動かし、カメラ１１の撮影範囲を変化させることによって表示映像として表示装置１３に表示する範囲を変化させてもよい。また、複数のカメラを用いてもよい。
【００５８】
また、カメラ１１により二輪車２の後方を撮影することができれば、カメラ１１を二輪車２の後部以外の部分に取り付けてもよい。
【００５９】
また、本発明は、請求の範囲および明細書全体から読み取ることのできる発明の要旨または思想に反しない範囲で適宜変更可能であり、そのような変更を伴う二輪車の後方映像表示装置もまた本発明の技術思想に含まれる。
【符号の説明】
【００６０】
１  後方映像表示装置
２  二輪車
１１  カメラ（撮影手段）
１２  映像処理装置（映像処理手段）
１３  表示装置（表示手段）
１４  傾斜角センサ（傾斜角検出手段）
１５  ＣＰＵ
１６  メモリ（移動量データ記憶手段、回転量データ記憶手段）
【図１】
0005810773.tif 000002
【図２】
0005810773.tif 000003
【図３】
0005810773.tif 000004
【図４】
0005810773.tif 000005
【図５】
0005810773.tif 000006
【図６】
0005810773.tif 000007
【図７】
0005810773.tif 000008
【図８】
0005810773.tif 000009
【図９】
0005810773.tif 000010
【図１０】
0005810773.tif 000011
【図１１】
0005810773.tif 000012
【図１２】
0005810773.tif 000013